(57)【要約】  本発明は、改善された導電率を有する高周波導電体に関する。これは、少なくとも一つの導電性のベース材料を含む。本発明によれば、該ベース材料の、電流の効力が及ぶ外側表面及び内側表面の面積の、該ベース材料の全体積に対する割合が、ａ）前記ベース材料の、電流方向に対して垂直に、少なくとも二つのセグメントへの分割であり、該セグメントは、導電性のスペーサーによって離間されており、並びに電気的かつ機械的に相互に結合されている、該分割、及び／又はｂ）前記ベース材料の表面中又は表面上のトポログラフィー構造、及び／又はｃ）前記ベース材料の造形に対する前記ベース材料の少なくとも一部の内部多孔率であり、その際、それぞれの特徴は除外されている、該内部多孔率、によって高められる。この、同じ量のベース材料の上記の造形に関する対策によって、外側表面又は内側表面から最も高い距離の表皮深さにより大きな割合のベース材料を存在させるだけでなく、それにより、電流輸送にも関与するように、そのより大きな割合のベース材料を空間的に配置することができることが判明した。それ故、その表皮効果に基づいて、未使用部分をより小さいままにすることができる。
2016521457.tif 000002
【特許請求の範囲】
【請求項１】
少なくとも一つの導電性ベース材料を含む高周波導電体であって、
該ベース材料の、電流の効力が及ぶ外側表面及び内側表面の面積の、該ベース材料の全体積に対する割合が、
ａ）前記ベース材料の、電流方向に対して垂直に、少なくとも二つのセグメントへの分割であり、該セグメントは、導電性のスペーサーによって離間されており、並びに電気的かつ機械的に相互に結合されている、該分割、及び／又は
ｂ）前記ベース材料の表面中又は表面上のトポログラフィー構造、及び／又は
ｃ）前記ベース材料の造形に対する前記ベース材料の少なくとも一部の内部多孔率であり、その際、それぞれの特徴は除外されている、該内部多孔率、
によって高められることを特徴とする、上記の高周波導電体。
【請求項２】
少なくとも一つのセグメントが、いずれの電流の方向に対しても垂直な方向において、前記ベース材料の、最大作用周波数における表皮の厚さの２倍と、前記ベース材料の、最低作用周波数における表皮の厚さの２．５倍との間の大きさを有することを特徴とする、請求項１に記載の高周波導電体。
【請求項３】
前記スペーサーが、エッチャントの攻撃を受ける材料からなり、前記ベース材料は該エッチャントに耐性であることを特徴とする、請求項１又は２に記載の高周波導電体。
【請求項４】
前記スペーサーの材料が、第３主族又は第４主族、又は遷移金属からの金属であるか、あるいは、そのような金属を合金成分として含有するものであることを特徴とする、請求項１〜３のいずれか一つに記載の高周波導電体。
【請求項５】
前記スペーサーの材料が、群（Ｔｉ、Ｖ、Ｃｒ、Ｍｎ、Ｆｅ、Ｃｏ、Ｎｉ、Ｃｕ、Ｚｎ）に属するか又はこの群からの少なくとも一つの金属を合金の成分として含有することを特徴とする、請求項４に記載の高周波導電体。
【請求項６】
前記トポグラフィー構造の少なくとも３０％、好ましくは少なくとも５０％、そして特に好ましくは少なくとも８０％が、いずれの電流の方向に対しても垂直な方向において、前記ベース材料の、最大作用周波数における表皮の厚さの２倍と、前記ベース材料の、最低作用周波数における表皮の厚さの２．５倍との間の大きさを有することを特徴とする、請求項１〜５のいずれか一つに記載の高周波導電体。
【請求項７】
孔の少なくとも３０％、好ましくは少なくとも５０％、特に好ましくは少なくとも８０％が、最も近い孔同士の距離が、前記ベース材料の、最大作用周波数における表皮の厚さの２倍と、前記ベース材料の、最低作用周波数における表皮の厚さの２．５倍との間の大きさにあることを特徴とする、請求項１〜６のいずれか一つに記載の高周波導電体。
【請求項８】
前記ベース材料が、炭素又は貴金属又は半貴金属であるか、又はこの群からの少なくとも一つの金属を合金の成分として含有することを特徴とする、請求項１〜７のいずれか一つに記載の高周波導電体。
【請求項９】
前記ベース材料が、群（Ｒｕ、Ｒｈ、Ｐｄ、Ａｇ、Ｏｓ、Ｉｒ、Ｐｔ、Ａｕ）に属するか、又はこの群からの少なくとも一つの金属を合金の成分として含有する、請求項１〜８のいずれか一つに記載の高周波導電体。
【請求項１０】
トランジスターの制御電極として形成されることを特徴とする、請求項１〜９のいずれか一つに記載の高周波導電体。
【請求項１１】
電界効果トランジスターのゲート電極として形成されることを特徴とする、請求項１０に記載の高周波導電体。
【請求項１２】
ゲートの長さを画定する導電性のスペーサーを介して前記電界効果トランジスターの半導体ゲートに接続されていることを特徴とする、請求項１１に記載の高周波導電体。
【請求項１３】
光検出装置の集電極又は導出電極として構成されることを特徴とする、請求項１〜１２のいずれか一つに記載の高周波導電体。
【請求項１４】
請求項３〜１３のいずれか一つに記載の高周波導電体を製造する方法であって、前記スペーサーの材料からなる層、及び前記ベース材料からなる層が交互に重なった層を基板上に成長させ、そしてその層のスタックを次いで、前記スペーサーを等方的にエッチングし、そしてそれと同時に該基板も該ベース材料も攻撃しないエッチャントに曝すことを特徴とする、上記の方法。
【請求項１５】
希釈可能なエッチャントが選択されることを特徴とする、請求項１４に記載の方法。
【発明の詳細な説明】
【技術分野】
【０００１】
本発明は、改善された導電率を有する高周波導電体に関する。
【背景技術】
【０００２】
直流電流は導電体を通過して、そこを完全に伝導する。交流電流は、導電体の材料及び周波数に依存する表皮深さにだけ進入する。というのも、電流によってその導体内に生じた交流電磁場が、レンツの法則に基づいて、逆電圧を誘発し、該逆電圧は、その導電体の端部に電流を促すからである。それによって、導電体の横断面における端部から表皮深さまでにのみ利用可能な電流輸送が生じる。その導電体の横断面の残部は、電流輸送に貢献しない。その導電体の電気抵抗を減少させるために、残部を増大させて、その結果、電流を輸送する端部領域も拡大することが知られている。その欠点は、追加的に大きい体積の導電体材料によって得られる導電率が小さいことであり、表皮効果のために、これは電流輸送に関与しない。最も導電性の高い金属は貴金属であるため、非常に高価である。
【発明の概要】
【発明が解決しようとする課題】
【０００３】
それ故、本発明の課題は、改善された導電率を有すると同時に、材料費が低減された高周波導電体を提供することである。
【課題を解決するための手段】
【０００４】
この課題は、本発明による、主請求項に記載の高周波導電体、並びに副請求項に記載の製造方法によって解決される。さらに有利な実施形態は、従属請求項によって与えられる。
【０００５】
本発明の範囲内において、少なくとも一つの導電性ベース材料を含む高周波導電体が開発された。
【０００６】
本発明によれば、該ベース材料の、電流の効力が及ぶ外側表面及び内側表面の面積の、該ベース材料の全体積に対する割合が、
ａ）前記ベース材料の、電流方向に対して垂直に、少なくとも二つのセグメントへの分割であり、該セグメントは、導電性のスペーサーによって離間されており、並びに電気的かつ機械的に相互に結合されている、該分割、及び／又は
ｂ）前記ベース材料の表面中又は表面上のトポログラフィー構造、及び／又は
ｃ）前記ベース材料の造形に対する前記ベース材料の少なくとも一部の内部多孔率であり、その際、それぞれの特徴は除外されている、該内部多孔率、
によって高められる。
【０００７】
この、同じ量のベース材料の上記の造形に関する対策によって、外側表面又は内側表面から最も高い距離の表皮深さにより大きな割合のベース材料を存在させるだけでなく、それにより、電流輸送にも関与するように、そのより大きな割合のベース材料を空間的に配置することができることが判明した。それ故、表皮効果に基づいて、未使用部分をより小さいままにすることができる。
【０００８】
ベース材料をセグメント化した場合、有利に、少なくとも一つのセグメントは、いずれの電流の方向に対しても垂直な方向において、前記ベース材料の、最大作用周波数における表皮の厚さの２倍と、前記ベース材料の、最低作用周波数における表皮の厚さの２．５倍との間の大きさを有する。より小さい広がりは導電率を小さくし、はるかにずっと大きな広がりは、単に材料費を高くするだけであるが、導電率をそれ以上増大させない。
【０００９】
有利には、該スペーサーは、エッチャントの攻撃を受ける材料からなり、前記ベース材料は該エッチャントに耐性である。その場合、前記ベース材料からなる層、及び前記スペーサーの材料からなる層が交互に重なった層を基板上に成長させ、次いで、エッチャントを適用することによって高周波導電体を非常に簡単に製造することができる。そのときそのスペーサーの材料からなる層は、両側に同時に攻撃を受ける。二つの攻撃箇所の間の中間では、エッチング時間及びエッチング測度の依存した幅を有する残部が残される。複雑なリソグラフィー工程の手順は不要である。
【００１０】
該スペーサーに対して、金属導電性を有し、そして機械的に安定であることだけが要求される。高周波導電体が半導体上に施用される場合、いずれの半導体の群、例えば、半導体とのショットキーコンタクトにも特に適した導電性材料となる。
【００１１】
有利には、スペーサーの材料は、第３主族又は第４主族の金属、又は遷移金属からなるか、又は、少なくとも一つのそのような金属を合金の成分として含有する。特に好ましくは、該スペーサーの材料は、群（Ｔｉ、Ｖ、Ｃｒ、Ｍｎ、Ｆｅ、Ｃｏ、Ｎｉ、Ｃｕ、Ｚｎ）に属するか又はこの群からの少なくとも一つの金属を合金の成分として含有する。これらの材料は、好ましいエッチャントにより、特に、湿式化学的エッチングによって適用可能な導電率となる。しかしながら、この点を重要視していない製造方法を使用する場合、スペーサーの材料は、例えば、貴金属である場合もあり、特に、ベース材料と同じである可能性もある。
【００１２】
該ベース材料がトポグラフィー的に構造化されている場合、有利には、そのトポグラフィー構造の少なくとも３０％、好ましくは少なくとも５０％、そして特に好ましくは少なくとも８０％が、いずれの電流の方向に対しても垂直な方向において、前記ベース材料の、最大作用周波数における表皮の厚さの２倍と、前記ベース材料の、最低作用周波数における表皮の厚さの２．５倍との間の大きさを有する。そのとき、該構造体では、本質的にその全体に電流が通過する。
【００１３】
ベース材料が多孔性である場合、孔の少なくとも３０％、好ましくは少なくとも５０％、特に好ましくは少なくとも８０％が、最も近い孔同士の距離が、前記ベース材料の、最大作用周波数における表皮の厚さの２倍と、前記ベース材料の、最低作用周波数における表皮の厚さの２．５倍との間の大きさにある。その際、本質的に、孔の間の領域の全体を電流が通過し、そして、ベース材料のほんのわずかな分量だけが、電流輸送に寄与しないままである。
【００１４】
有利には、ベース材料は、炭素又は貴金属又は半貴金属、又はこれらの群の少なくとも一つの金属を合金の成分として含有する。本発明の特に有利な一実施形態において、該ベース材料は、群（Ｒｕ、Ｒｈ、Ｐｄ、Ａｇ、Ｏｓ、Ｉｒ、Ｐｔ、Ａｕ）に属するか、又はこの群からの少なくとも一つの金属を合金の成分として含有する。炭素及びこれらの貴金属は、最良の導電性を有するだけでなく、環境の影響に対して耐性であり、並びに、最後にスペーサーを製造するために使用される湿式化学的なエッチャントに対しても耐性である。
【００１５】
本発明の特に有利な実施形態において、該高周波導電体はトランジスターの制御電極として形成される。該導電体は、特に、電界効果トランジスターのゲート電極として形成することができる。電界効果トランジスターの場合、可能な限り高いスイッチング周波数及びスイッチのスルーレートが重要であり、ゲート電極は、可能な限り速く荷電されるか、あるいはその逆に、可能な限り速くその電荷を放出させられることが重要である。
【００１６】
有利には、高周波導電体は、ゲートの長さを画定する導電性のスペーサーの上方のゲート電極として、電界効果トランジスターの半導体ゲートに接続される。
【００１７】
ゲートの長さが短ければ短いほど、トランジスターの最大スイッチング周波数はより大きくなる。
【００１８】
本発明のさらに特に有利な実施形態において、高周波導電体は光検出装置の集電極又は導出電極として構成される。とりわけ、ＭＳＭ原理（金属−半導体−金属）による光検出装置においては、その集電極及び導出電極の電気抵抗が小さければ小さいほど、量子収率はますます良好になる。
【００１９】
上述したように、本発明はまた、本発明の高周波導電体を製造する方法にも関する。その場合、該スペーサーの材料からなる層、及び該ベース材料からなる層が交互に重なった層を基板上に成長させる。その層のスタックは次いで、前記スペーサーを等方的にエッチングし、そしてそれと同時に該基板も該ベース材料も攻撃しないエッチャントに曝される。エッチング速度のエッチング時間との相互作用のより、エッチングプロセス後に残るスペーサーの領域を調節することができる。
【００２０】
希釈可能なエッチャントを選択するのが有利である。エッチング速度は、その際、希釈の程度に応じて調節可能である。エッチャントは、例えば、酸又は塩基であることができる。その希釈は、必然ではないが水で行うことができる。例えば、その他の溶媒も、該希釈に使用することができる。
【００２１】
以下に、本発明の対象を、図面を参照しながらより詳細に説明するが、本発明の対象はこれらに限定されない。
【図面の簡単な説明】
【００２２】
【図１】図１は、本発明の高周波導電体の実施形態を示す図である。
【図２】図２は、達成可能な電流密度の周波数応答、及び従来技術のそれとの比較を示す図である。
【図３】図３は、本発明の製造方法の実施形態を示す図である。
【図４】図４は、本発明の高周波導電体の走査型電子顕微鏡画像、及び従来技術のそれとの比較を示す図である。
【図５】図５は、本発明の高周波導電体をゲートとして有するトランジスターの短絡回路電流の周波数応答、及び従来技術のゲートを有するトランジスターのそれとの比較を示す図である。
【発明を実施するための形態】
【００２３】
図１ａは、本発明の高周波導電体１の一実施形態を断面図で示している。該高周波導電体１は、ゲートの長さを画定する、ニッケルからなるスペーサーを介して、電界効果トランジスターの半導体のゲートとしてのＡｌＧａｎ／ＧａＮヘテロ構造体３に接続されている。このヘテロ構造体は、サファイア基板上にある。該トランジスターのその基板並びにソース領域及びドレイン領域は、接触部を含め、明確さのために図示されていない。該高周波導電体１のベース材料である金は、二つのセグメント１ａ及び１ｂに分割されており、それらセグメントは、ニッケルからなるスペーサー１ｃによって電気的かつ機械的に相互に結合されている。ゲートに電荷を供給するか、あるいはそこから該電荷を再び放出させる電流は、平面に対して垂直に流れる。表皮効果に起因して、二つのセグメント１ａ及び２ｂの表面に近いハッチ部分にのみ、高周波導電体を介して電流の効果が及ぶ。導電性に劣るスペーサー１ｃ及び２を通る電流輸送は、明確さのために図１において無視される。
【００２４】
図１ｂは、従来技術による高周波導電体１と比較するための断面図であり、これは、図１ａの実施形態と同じ量のベース材料を含有している。この場合、ベース材料は二つのセグメントに分割されていない。その結果、電流輸送に寄与する表面付近の領域としてのセグメント１ａの下部端及びセグメント１ｂの上部端は除外される。そのため、効果なベース材料のほんの僅かな部分しか電流輸送に利用されない。
【００２５】
図２において、図１ａの高周波導電体（実線）及び図１ｂの高周波導電体（破線）について、周波数ｆに対する該高周波導電体において達成可能な電流密度ｊの周波数応答の両対数をプロットしている。同じ使用料のベース材料において、周波数が約２×１０１０Ｈｚから、明らかに電流密度が勝っていることが示されている。
【００２６】
図３は、本発明の製造方法の一実施形態を示しており、図１ａで示した高周波導電体は、その製造方法を用いて製造したものである。市場から入手可能な、サファイア基板上に成長させたＡｌＧａＮ／ＧａＮヘテロ構造体３の上に、まず、それぞれが２００ｎｍの厚さを有する、ニッケルからなる層及び金からなる層を交互に重ねた層を成長させる（図３ａ）。該ヘテロ構造体は、３μｍの厚さのドープされていないＧａＮバッファー層からなり、該バッファー層の上には３０ｎｍの厚さのＡｌＧａＮバリアーがある。このバリアーのモル質量において、ＡＩＮは２６％の割合を有する。その成長後、該層のスタックは、水で希釈された塩酸（ＨＣｌ：Ｈ２Ｏ  １：１００）に曝され、該塩酸は、ニッケル層の左右それぞれを攻撃する（図３ｂ）。そのエッチング後、該ニッケル層のそれ以上の分解を停止させるために、該層のスタックを１０分間脱塩水中ですすぐ。ＡＦＭ測定は、該エッチングによって、該エッチングによって平均（ｒｍｓ）粗度が高められなかったことを示している。
【００２７】
該ヘテロ構造体３のすぐ上には、ニッケル−スペーサー２が残存しており、該スペーサーは、“高電子移動度トランジスター”（ＨＥＭＴ）のゲートの長さを画定する。第二のニッケル−スペーサー１ｃが、金のベース材料の二つのセグメント１ａ及び１ｂを接続する。
【００２８】
図４ａは、この方法で製造した、図１ａの図に相当する本発明の高周波導電体（２−レベル−Ｔ−ゲート）の断面における走査型電子顕微鏡画像を示している。図４ｂは、対比のための、従来技術による慣用的なＴ−ゲート構造体（１−レベルＴゲート）の一例の、断面における走査型電子顕微鏡画像を示しており、その構造体は、図１ｂのものに相当する。
【００２９】
図５は、従来技術による慣用的なＴ−ゲートを有するトランジスターの短絡回路電流の周波数応答（図１ｂ；薄い点線）、及び本発明の２−レベル−Ｔ−ゲートを有するトランジスターのそれ（図１ａ；太い実線）を、周波数ｆに対してプロットしたグラフを示している。二つのトランジスターは、その他の点で同じ構造である。本発明の高周波導電体をゲートとして有するトランジスターの利点は、高周波数の場合に明らかである。それ故、本発明の高周波導電体は、より高い限界周波数ｆｍａｘ（ダンピングすることなく伝達される最大周波数）をトランジスターにもたらす。
【図１】
2016521457.tif 000003
【図２】
2016521457.tif 000004
【図３ａ】
2016521457.tif 000005
【図３ｂ】
2016521457.tif 000006
【図４】
2016521457.tif 000007
【図５】
2016521457.tif 000008
【手続補正書】
【提出日】平成27年8月26日(2015.8.26)
【手続補正１】
【補正対象書類名】明細書
【補正対象項目名】００１６
【補正方法】変更
【補正の内容】
【００１６】
有利には、高周波導電体は、ゲートの長さを画定する導電性のスペーサーの上方のゲート電極として、半導体の電界効果トランジスターに接続される。
【手続補正２】
【補正対象書類名】明細書
【補正対象項目名】００２３
【補正方法】変更
【補正の内容】
【００２３】
図１ａは、本発明の高周波導電体１の一実施形態を断面図で示している。該高周波導電体１は、ゲートの長さを画定する、ニッケルからなるスペーサーを介して、半導体の電界効果トランジスターとしてのＡｌＧａｎ／ＧａＮヘテロ構造体３に接続されている。このヘテロ構造体は、サファイア基板上にある。該トランジスターのその基板並びにソース領域及びドレイン領域は、接触部を含め、明確さのために図示されていない。該高周波導電体１のベース材料である金は、二つのセグメント１ａ及び１ｂに分割されており、それらセグメントは、ニッケルからなるスペーサー１ｃによって電気的かつ機械的に相互に結合されている。ゲートに電荷を供給するか、あるいはそこから該電荷を再び放出させる電流は、平面に対して垂直に流れる。表皮効果に起因して、二つのセグメント１ａ及び２ｂの表面に近いハッチ部分にのみ、高周波導電体を介して電流の効果が及ぶ。導電性に劣るスペーサー１ｃ及び２を通る電流輸送は、明確さのために図１において無視される。
【手続補正３】
【補正対象書類名】特許請求の範囲
【補正対象項目名】全文
【補正方法】変更
【補正の内容】
【特許請求の範囲】
【請求項１】
少なくとも一つの導電性ベース材料を含む高周波導電体において、
その際、該ベース材料の、電流の効力が及ぶ外側表面及び内側表面の面積の、該ベース材料の全体積に対する割合が、前記ベース材料の、電流方向に対して垂直に、少なくとも二つのセグメントへの分割であり、該セグメントは、導電性のスペーサーによって離間されており、並びに電気的かつ機械的に相互に結合されており、前記ベース材料の造形に対しており、その際、この分割は排除されている、該分割によって高められる、高周波導電体であって、
−  前記スペーサーが、エッチャントが攻撃可能な材料からなり、前記ベース材料は該エッチャントに耐性であり、そして
−  少なくとも一つのセグメントが、いずれの電流の方向に対しても垂直な方向において、前記ベース材料の、最大作用周波数における表皮の厚さの２倍と、前記ベース材料の、最低作用周波数における表皮の厚さの２．５倍との間の大きさを有することを特徴とする、上記の高周波導電体。
【請求項２】
前記スペーサーの材料が、第３主族又は第４主族、又は遷移金属からの金属であるか、あるいは、そのような金属を合金成分として含有するものであることを特徴とする、請求項１に記載の高周波導電体。
【請求項３】
前記スペーサーの材料が、群（Ｔｉ、Ｖ、Ｃｒ、Ｍｎ、Ｆｅ、Ｃｏ、Ｎｉ、Ｃｕ、Ｚｎ）に属するか又はこの群からの少なくとも一つの金属を合金の成分として含有することを特徴とする、請求項２に記載の高周波導電体。
【請求項４】
前記ベース材料が、炭素又は貴金属又は半貴金属であるか、又はこの群からの少なくとも一つの金属を合金の成分として含有することを特徴とする、請求項１〜３のいずれか一つに記載の高周波導電体。
【請求項５】
前記ベース材料が、群（Ｒｕ、Ｒｈ、Ｐｄ、Ａｇ、Ｏｓ、Ｉｒ、Ｐｔ、Ａｕ）に属するか、又はこの群からの少なくとも一つの金属を合金の成分として含有する、請求項１〜４のいずれか一つに記載の高周波導電体。
【請求項６】
トランジスターの制御電極として形成されることを特徴とする、請求項１〜５のいずれか一つに記載の高周波導電体。
【請求項７】
電界効果トランジスターのゲート電極として形成されることを特徴とする、請求項６に記載の高周波導電体。
【請求項８】
ゲートの長さを画定する導電性のスペーサーを介して半導体の電界効果トランジスターに接続されていることを特徴とする、請求項７に記載の高周波導電体。
【請求項９】
光検出装置の集電極又は導出電極として構成されることを特徴とする、請求項１〜８のいずれか一つに記載の高周波導電体。
【請求項１０】
請求項１〜９のいずれか一つに記載の高周波導電体を製造する方法であって、前記スペーサーの材料からなる層、及び前記ベース材料からなる層が交互に重なった層を基板上に成長させ、そしてその層のスタックを次いで、前記スペーサーを等方的にエッチングし、そしてそれと同時に該基板も該ベース材料も攻撃しないエッチャントに曝すことを特徴とする、上記の方法。
【請求項１１】
希釈可能なエッチャントが選択されることを特徴とする、請求項１０に記載の方法。
【国際調査報告】
2016521457.tif 000009
2016521457.tif 000010
2016521457.tif 000011
2016521457.tif 000012
2016521457.tif 000013
2016521457.tif 000014